(57)【要約】【課題】  料亭や小料理店といったところでは、料亭の名前、小料理店の名前を客に覚えてもらうため、店名を入れた体裁のよいマッチ箱を客に渡す。しかしながら、今日ではマッチの使用はほとんどないため実用的ではない。【解決手段】  料亭や小料理店で客に気楽に渡せるもので、経済的に負担が少なくて体裁のよいもの、実用的なもの、これが課題を解決する手段となる本発明の、広告宣伝用の携帯楊枝綴り差しである。【選択図】図６
2009249038.tif 000002
【特許請求の範囲】
【請求項１】
下覆いの符号５に設けた、押さえ角の符号１１の左の変形切り込みの符号１０の入り口の斜め切り込み符号１２、変形切り込みの符号１０のうちの特形斜め切り込みの符号１４、変形切り込み符号１０と特形斜め切り込み符号１４によって形が作られる、小山自在弁の符号１３。
紐通し穴の符号１５、紐通し結びの符号１９。
上覆いの符号９の捻りを助ける、上ミゴロ符号８の機構。
これらを有した、広告宣伝用の携帯楊枝綴り差し。
【発明の詳細な説明】
【技術分野】
【０００１】  本発明は、紙で作るものである。
【発明の開示】
【発明が解決しょうとする課題】
【０００２】  料亭や小料理店といったところでは、料亭の名前、小料理店の店名を客に覚えてもらうため、店名を入れた体裁のよいマッチ箱を来客に渡す。しかしながら今日ではマッチの使用はほとんどないため実用的ではない。そのためマッチ箱を客に渡す行為も少なくなっている。
【課題を解決するための手段】
【０００３】  料亭や小料理店で客に気楽に渡せるもので、経済的に負担が少なくて体裁のよいもの、
実用的なもの、これが課題を解決する手段となる本発明の、広告宣伝用の携帯楊枝綴り差しである。
【発明の効果】
【０００４】  体裁のよいものと前項でいってきたが、これはマッチ箱の印象からで本発明は図に見られるように新規性をもちデザインに優れたものであり、しゃれたものである。紙製品であるため正面や裏面、上覆いを開いた内側に文字や絵、図柄を印刷した奇麗なものに仕上げることができるため宣伝効果は高い。
さらには、マッチのように危険をともなうものでもないため多くの人に渡すことができる。たとえばイベント会場で来場者に渡す。通行人に渡すなど料亭や小料理店以外に利用できるために宣伝効果が大いに期待できる。
名刺を人に渡そうとするときはあらたまった気持ちである、マッチ箱や本発明の、楊枝綴り差しは気楽に人に渡すことができる。もらった方も礼をいうことなく気楽にもらい受けることができる、これが宣伝効果、経済効果につながる。
【発明を実施するための最良の形態】
【０００５】  本発明は、やや厚紙のノ−トブックの表紙ほどの厚さの紙を、図１に加工する。
図の下の端から点線の符号１までを下覆いの符号５とする。
点線の符号１から点線の符号２までを下ミゴロの符号６とする。
点線の符号２から点線の符号３までを本体部の符号７とする。
点線の符号３から点線の符号４までを上ミゴロの符号８とする。
点線の符号４から図の上の端までを上覆いの符号９とする。【０００６】  下覆いの符号５には、変形切り込みの符号１０を設ける。変形切り込みの右の部分を、押さえ角の符号１１とする。押さえ角の左端で変形切り込みの入口を、斜め切り込み線の符号１２とする。変形切り込みの左の部分を、小山自在弁の符号１３とする。小山自在弁の上の端を、特形斜め切り込み線の符号１４とする、特形斜め切り込み線は小山自在弁が外からの圧力などにより自由に動けるための切り込み線である。下覆いには、紐通し穴の符号１５を設ける。【０００７】  本体部の符号７には，紐通し穴の符号１５を設ける。本体部には、楊枝差しパイプの符号１６を、少し間をおいて横並びに綴りかけて設ける。楊枝差しパイプは竹筒を二つに割った形のものを本体部に割った方を向けて張り付けた形である。この楊枝差しパイプに楊枝の符号１７を差し込める構造。楊枝には一般的な量産楊枝と手で作る高級な楊枝がある、量産楊枝は細いので一筋のパイプ状の楊枝差し部に二三本差しこめる。高級な楊枝は太いので一筋のパイプ状に一本の差し込みとなる。
少し間をおいて横ならびに綴りかけて設ける楊枝差しのパイプ状のものを数を減らすと本発明の製品は縦長となり数を増すと横へ幅の広い製品となる。図６、図７がこれを示す。【０００８】  上ミゴロの符号８と、上覆いの符号９の、間の点線の符号４の、両端の切り込みの符号１８は、後記するが、上覆いの捻りを助ける切り込みである。この切り込みは、本発明の製品となる紙の厚さ、紙の固さ、紙の幅の広さ、紙の長さにより適宜に設けたり設けなかったりするものである。【０００９】  図１に加工したものを、点線の符号２の点線部を、下ミゴロの符号６が手前方向に水平になるように折り曲げる。次に、点線の符号１の点線部を、下覆いの符号５が上方向に向かうように折り曲げる、すると、図２の状態となる。図２は紐通し穴の符号５と符号５を合わせて紐を通し結んだもの、紐通し結びの符号１９である。下覆いと本体部は、点線の符号２、点線の符号１を折り曲げた後、ノリで張り付けるか、本発明の紐で結び固めなければならない。
本発明は新規性やデザインを考慮して、あえて手のかかる紐で結び固めるものである。
この本発明のものをを長期に使用することが予想される場合はノリ付けと紐結び両方をよしとする。また、用途によってはノリ付けのみとする。
通常、紐をかける製品にあっては。例えばカレンダ−などの場合。カレンダ−の上端に近く、両端から見て中心に穴を開け紐を通す。それにくらべ本発明は製品の下に近く端に近いところに紐をかけて結んでいるため斬新で、ユニ−クで、しゃれた製品となり人々に好まれ宣伝効果が期待できる形状様式である。【００１０】  次に、図２の、点線の符号３の点線部を、上ミゴロの符号８を手前方向に向くように折り曲げる。次いで点線の符号４の点線部を、上覆いの符号９が下方向に向くように折り曲げる。すると、図３の状態となる。
図３になったままでは、上覆いの符号９は、本体部から離れがちで安定せず、跳ね上がりがちである。
そのため次に、図４に示す、上の矢印の方向に上覆いの符号９を捻り、上覆いの端を変形切り込みの符号１０を通し、押さえ角の符号１１の向こう側（裏側）に差し入れるように下の矢印の方向に上覆いを移動させる。
上の矢印方向への捻りを助け捻りやすくしているのが、上ミゴロの符号８である。図には小さな三角形に見えるものである。上ミゴロがないと上覆いの捻りは、厚紙、固い紙では困難である。図には現れていないが、切り込みの符号１８も捻りを助ける（切り込みの符号１８を製品の製作に用いた場合）。
上覆いの捻りを少しでも少なくするため、斜め切り込みの符号１２が役立つものである。
上覆いを、変形切り込みへの差し込みを助け、柔軟に自在に動くのが、小山自在弁の符号１３である。
図５に示される、上覆いの端を、押さえ角の符号１１の向こうへ差し込んだ状態になると、押さえ角が上覆いを押さえ、上覆いが、小山自在弁を押さえたものとなる。
ここにはじめて。紐通し結びとともに、本発明の、広告宣伝用の携帯楊枝綴り差しは固くしまった優美なものとなる。
【産業上の利用可能性】
【００１１】  本発明の多くは素材を紙とするが、なめし革やプラスティクなどでも製作できる。
本発明は、楊枝綴り差し、としているが、棒状のチョコレ−ト、棒状のセンベィなどなど、今店頭にあるものだけでなく、これから市場に登場してくる食品のケ−スとして使用可能であり、紐通し結びとともに形状のユニ−クさかわいさがうけて人気製品となる。
【図面の簡単な説明】
【００１２】
【図１】本発明をわかりやすく説明するための、あらかじめの全体図。
【図２】図１における、符号２の点線部、符号１の点線部を折り曲げた図で、紐通し穴の符号１５に紐を通し結んだ図。
【図３】図２における、符号３の点線部、符号４の点線部を折り曲げた図。
【図４】図３における、符号９の上覆いを上の矢印方向へ捻った図。
【図５】図４における、符号９の上覆いを捻ったものを下の矢印方向へ移動させながら、押さえ角の符号１１の向こう側に上覆いの端を挿入した図。
【図６】図１における、符号１６の楊枝差しパイプを図１におけるものより数本数を少なくしたものであり、紐通し結びとともに、本発明の、広告宣伝用の携帯楊枝綴り差し。
【図７】図１における、符号１６の楊枝差しパイプを図１におけるものより数本数を多くしたものであり、紐通し結びとともに、本発明の、広告宣伝用の携帯楊枝綴り差し。
【符号の説明】
【００１３】１、２、３、４、折り曲げるところを示す点線。
５  下覆い。
６  下ミゴロ。
７  本体部。
８  上ミゴロ。
９  上覆い。
１０  変形切り込み。
１１  押さえ角。
１２  斜め切り込み。
１３  小山自在弁。
１４  特形斜め切り込み。
１５  紐通し穴。
１６  楊枝差しパイプ。
１７  楊枝。
１８  切り込み。
１９  紐通し結び。
【図１】
2009249038.tif 000003
【図２】
2009249038.tif 000004
【図３】
2009249038.tif 000005
【図４】
2009249038.tif 000006
【図５】
2009249038.tif 000007
【図６】
2009249038.tif 000008
【図７】
2009249038.tif 000009